(57)【特許請求の範囲】
【請求項１】
移動体通信システムを構成する基地局からセルを受信するインタフェース部と、ＡＴＭ（Asynchronous Transfer Mode）セルのスイッチングを行うＡＴＭスイッチとを備えた基地局制御装置において、
前記インタフェース部と前記ＡＴＭスイッチとの間に各々設けられ、前記インタフェース部で受信したセルがＡＴＭセルの場合、前記ＡＴＭセルが、ＡＡＬ（ATM Adaptation Layer）Ｔｙｐｅ２ＳＳＳＡＲ(Service Specific Segmentation and Reassembly)セルか、ＡＡＬＴｙｐｅ２ＳＳＴＥＤ(Service Specific Transmission Error Detection)セルか、それ以外のセルかを識別する識別手段と、
該識別手段で前記ＡＴＭセルが前記ＡＡＬＴｙｐｅ２ＳＳＳＡＲセルと識別された場合、該セルをＡＡＬＴｙｐｅ５セルに変換し、前記ＡＴＭセルが前記ＡＡＬＴｙｐｅ２ＳＳＴＥＤセルと識別された場合、該セルにおけるＣＲＣフィールド値の正否を判定し、該判定の結果ＣＲＣフィールド値が正しいとき該ＡＡＬＴｙｐｅ２ＳＳＴＥＤセルをＡＡＬＴｙｐｅ５セルに変換する変換手段を具備することを特徴とする基地局制御装置。
【請求項２】
前記変換手段は、前記ＣＲＣフィールド値が正しくないとき、当該ＡＴＭセルを廃棄することを特徴とする請求項１に記載の基地局制御装置。
【請求項３】
移動体通信システムを構成する基地局からセルを受信するインタフェース部と、ＡＴＭ（Asynchronous Transfer Mode）セルのスイッチングを行うＡＴＭスイッチとを備えた基地局制御装置において、
前記インタフェース部と前記ＡＴＭスイッチとの間に各々設けられ、前記インタフェース部で受信したセルがＡＴＭセルの場合、前記ＡＴＭセルが、ＡＡＬ（ATM Adaptation Layer）Ｔｙｐｅ２ＳＳＳＡＲ(Service Specific Segmentation and Reassembly)セルか、ＡＡＬＴｙｐｅ２ＳＳＴＥＤ(Service Specific Transmission Error Detection)セルか、それ以外のセルかを識別する識別手段と、該識別手段で前記ＡＴＭセルが前記ＡＡＬＴｙｐｅ２ＳＳＳＡＲセル又は前記ＡＡＬＴｙｐｅ２ＳＳＴＥＤセルと識別された場合、前記Ｔｙｐｅ２ＳＳＳＡＲセル又は前記ＡＡＬＴｙｐｅ２ＳＳＴＥＤセルをＡＡＬＴｙｐｅ５セルに変換する変換手段と、前記ＡＡＬＴｙｐｅ２ＳＳＳＡＲセル、前記ＡＡＬＴｙｐｅ２ＳＳＴＥＤセルを組立てる組立手段とを具備することを特徴とする基地局制御装置。
【請求項４】
前記組立手段は、前記ＡＡＬＴｙｐｅ２ＳＳＳＡＲ、前記ＡＡＬＴｙｐｅ２ＳＳＴＥＤの組立てができないセルを廃棄することを特徴とする請求項３に記載の基地局制御装置。
【請求項５】
移動体通信システムを構成する基地局からセルを受信するインタフェース部と、ＡＴＭ（Asynchronous Transfer Mode）セルのスイッチングを行うＡＴＭスイッチとを備えた基地局制御装置において、
前記インタフェース部と前記ＡＴＭスイッチとの間に各々設けられ、前記インタフェース部で受信したセルがＯＡＭ（Operation Administration Mode）セルか否かを識別する第一識別手段と、該第一識別手段で前記受信セルがＯＡＭセルと識別された場合、ＡＴＭセルを生成する生成手段と、前記ＡＴＭセルが、ＡＡＬ（ATM Adaptation Layer）Ｔｙｐｅ２ＳＳＳＡＲ(Service Specific Segmentation and Reassembly)セルか、ＡＡＬＴｙｐｅ２ＳＳＴＥＤ(Service Specific Transmission Error Detection)セルか、それ以外のセルかを識別する第二識別手段と、該第二識別手段で前記ＡＴＭセルが前記ＡＡＬＴｙｐｅ２ＳＳＳＡＲセル又は前記ＡＡＬＴｙｐｅ２ＳＳＴＥＤセルと識別された場合、前記ＡＡＬＴｙｐｅ２ＳＳＳＡＲセル又は前記ＡＡＬＴｙｐｅ２ＳＳＴＥＤセルをＡＡＬＴｙｐｅ５セルに変換する変換手段とを具備することを特徴とする基地局制御装置。
【請求項６】
移動体通信システムを構成する基地局からＡＴＭ（Asynchronous Transfer Mode）セルを受信するインタフェース部と、前記ＡＴＭセルのスイッチングを行うＡＴＭスイッチとを備えた基地局制御装置で実行するセル処理方法において、
前記インタフェース部で受信した前記ＡＴＭセルが、ＡＡＬ（ATM Adaptation Layer）Ｔｙｐｅ２ＳＳＳＡＲ(Service Specific Segmentation and Reassembly)セルか、ＡＡＬＴｙｐｅ２ＳＳＴＥＤ(Service Specific Transmission Error Detection)セルか、それ以外のセルかを識別し、
前記ＡＴＭセルが前記ＡＡＬＴｙｐｅ２ＳＳＳＡＲセルと識別された場合、該セルをＡＡＬＴｙｐｅ５セルに変換し、前記ＡＴＭセルが前記ＡＡＬＴｙｐｅ２ＳＳＴＥＤセルと識別された場合、該セルにおけるＣＲＣフィールド値の正否を判定し、該判定の結果ＣＲＣフィールド値が正しいとき該ＡＡＬＴｙｐｅ２ＳＳＴＥＤセルをＡＡＬＴｙｐｅ５セルに変換することを特徴とするセル処理方法。
【請求項７】
更に、前記ＣＲＣフィールド値が正しくないとき、前記ＡＴＭセルを廃棄することを特徴とする請求項６に記載のセル処理方法。
【請求項８】
移動体通信システムを構成する基地局からＡＴＭ（Asynchronous Transfer Mode）セルを受信するインタフェース部と、前記ＡＴＭセルのスイッチングを行うＡＴＭスイッチとを備えた基地局制御装置で実行するセル処理方法において、
前記インタフェース部で受信した前記ＡＴＭセルが、ＡＡＬ（ATM Adaptation Layer）Ｔｙｐｅ２ＳＳＳＡＲ(Service Specific Segmentation and Reassembly)セルか、ＡＡＬＴｙｐｅ２ＳＳＴＥＤ(Service Specific Transmission Error Detection)セルか、それ以外のセルかを識別し、前記ＡＴＭセルが前記ＡＡＬＴｙｐｅ２ＳＳＳＡＲセル又は前記ＡＡＬＴｙｐｅ２ＳＳＴＥＤセルと識別された場合、前記ＡＡＬＴｙｐｅ２ＳＳＳＡＲセル又は前記ＡＡＬＴｙｐｅ２ＳＳＴＥＤセルをＡＡＬＴｙｐｅ５セルに変換し、
更に、前記ＡＡＬＴｙｐｅ２ＳＳＳＡＲセル、前記ＡＡＬＴｙｐｅ２ＳＳＴＥＤセルを組立てることを特徴とするセル処理方法。
【請求項９】
更に、前記ＡＡＬＴｙｐｅ２ＳＳＳＡＲ、前記ＡＡＬＴｙｐｅ２ＳＳＴＥＤの組立てができないセルを廃棄することを特徴とする請求項８に記載のセル処理方法。
【請求項１０】
移動体通信システムを構成する基地局からセルを受信するインタフェース部と、ＡＴＭ（Asynchronous Transfer Mode）セルのスイッチングを行うＡＴＭスイッチとを備えた基地局制御装置で実行するセル処理方法において、
前記インタフェース部で受信したセルがＯＡＭ（Operation Administration Mode）セルか否かを識別し、前記受信セルがＯＡＭセルと識別された場合、ＡＴＭセルを生成し、前記ＡＴＭセルが、ＡＡＬ（ATM Adaptation Layer）Ｔｙｐｅ２ＳＳＳＡＲ(Service Specific Segmentation and Reassembly)セルか、ＡＡＬＴｙｐｅ２ＳＳＴＥＤ(Service Specific Transmission Error Detection)セルか、それ以外のセルかを識別し、前記ＡＴＭセルが前記ＡＡＬＴｙｐｅ２ＳＳＳＡＲセル又は前記ＡＡＬＴｙｐｅ２ＳＳＴＥＤセルと識別された場合、前記ＡＡＬＴｙｐｅ２ＳＳＳＡＲセル又は前記ＡＡＬＴｙｐｅ２ＳＳＴＥＤセルをＡＡＬＴｙｐｅ５セルに変換することを特徴とするセル処理方法。
【発明の詳細な説明】
【０００１】
【発明の属する技術分野】
本発明は、基地局制御装置及びセル処理方法に関し、特に、ＡＴＭ（Ａｓｙｎｃｈｒｏｎｏｕｓ  Ｔｒａｎｓｆｅｒ  Ｍｏｄｅ）スイッチ（以下ＡＴＭＳＷ）への不要なセルの流入を防止する場合に好適な基地局制御装置及びセル処理方法に関する。
【０００２】
【従来の技術】
従来、ＡＴＭ網を利用した移動体通信システム等においては、ＡＡＬ（ＡＴＭ  Ａｄａｐｔａｔｉｏｎ  Ｌａｙｅｒ：ＡＴＭ  ＬＡＮの基本インタフェースの上位層）Ｔｙｐｅ２のセルがよく利用される。従来のＡＴＭＳＷは、ＡＴＭセルヘッダのＶＰＩ（Ｖｉｒｔｕａｌ  Ｐａｔｈ  Ｉｄｅｎｔｉｆｉｅｒ：仮想パス識別子）／ＶＣＩ（Ｖｉｒｔｕａｌ  Ｃｈａｎｎｅｌ  Ｔｒａｎｓｆｅｒ：仮想チャンネル識別子）値を基にスイッチングを行うため、複数のＣＰＳ（Ｃｏｍｍｏｎ  Ｐａｒｔ  Ｓｕｂｌａｙｅｒ）パケットが多重されたＡＡＬＴｙｐｅ２のセルをスイッチングする場合、ＡＴＭＳＷの前段にて、ＡＡＬＴｙｐｅ２セル内の個々のＣＰＳパケット毎にＡＴＭセルを生成して、該ＡＴＭセルをＡＴＭＳＷでスイッチングを行っている。
【０００３】
上記のＡＴＭセルに関する従来例としては、例えば特開平１０−５６４５９号公報に記載の技術が提案されている。同公報は、ＡＴＭセルからＩＰパケットを再構成することなく、各セルをＩＰアドレスにより定まる進路へ振り分けることを目的としたものであり、処理対象であるＡＴＭセルが第１のタイプのＡＴＭセルと判別したときは、第１テーブルを検索し、当該ＡＴＭセルに含まれるＩＰパケットのＩＰアドレスに対応した送信先ＶＰＩ／ＶＣＩを求め、当該ＡＴＭセルに含まれる送信元ＶＰＩ／ＶＣＩと当該送信先ＶＰＩ／ＶＣＩを対応付ける情報を第２テーブルに格納すると共に、当該送信先ＶＰＩ／ＶＣＩに従って当該ＡＴＭセルの振り分けを行い、処理対象であるＡＴＭセルが第２のタイプのＡＴＭセルと判別したときは、第２テーブルを検索し、当該ＡＴＭセルに含まれる送信元ＶＰＩ／ＶＣＩに対応した送信先ＶＰＩ／ＶＣＩを求めると共に、当該送信先ＶＰＩ／ＶＣＩに従って当該ＡＴＭセルの振り分けを行うことを特徴とするＡＴＭセル振り分け装置が開示されている。
【０００４】
【発明が解決しようとする課題】
しかしながら、上述した従来例においては次のような問題点があった。
【０００５】
従来、ＡＡＬＴｙｐｅ２ＳＳＳＡＲ（Ｓｅｒｖｉｃｅ  Ｓｐｅｃｉｆｉｃ  Ｓｅｇｍｅｎｔａｔｉｏｎ  ａｎｄ  Ｒｅａｓｓｅｍｂｌｙ）（ＳＡＲ：Ｓｅｇｍｅｎｔａｔｉｏｎ  ａｎｄ  Ｒｅａｓｓｅｍｂｌｙ  Ｓｕｂｌａｙｅｒ、セル分割・組立サブレイヤ）の組立て、ＡＡＬＴｙｐｅ２ＳＳＴＥＤ（Ｓｅｒｖｉｃｅ  Ｓｐｅｃｉｆｉｃ  Ｔｒａｎｓｍｉｓｓｉｏｎ  Ｅｒｒｏｒ  Ｄｅｔｅｃｔｉｏｎ）組立ては、スイッチング先のサービストランク等で行っていた。このため、ノード間でセル抜け、データ化け等があった場合、ＡＴＭＳＷ後段のサービストランクでセル抜け、データ化けを検出し、セル廃棄及び再送等を行っており、ＡＴＭＳＷに不要なセルが流入するという問題があった。
【０００６】
本発明の目的は、ＡＴＭＳＷ前段にてＡＡＬＴｙｐｅ２ＳＳＳＡＲ組立て、ＡＡＬＴｙｐｅ２ＳＳＴＥＤ組立てを行うことにより、ノード間でのセル抜け、データ化け等があってＳＳＳＡＲ／ＳＳＴＥＤの組立てができない場合に、ＡＴＭＳＷの前段にてセル廃棄を行うことにより、ＡＴＭＳＷへの不要なセルの流入を防止した基地局制御装置及びＡＴＭセル処理方法を提供するものである。
【０００７】
また、本発明の目的は、ＡＡＬＴｙｐｅ５は既に技術が確立しており、市販のＡＡＬＴｙｐｅ５終端チップは安価に入手できるため、ＡＴＭＳＷ前段にてＡＡＬＴｙｐｅ２セルをＡＡＬＴｙｐｅ５セルに変換することにより、ＡＴＭＳＷ後段のサービストランクは、市販のＡＡＬＴｙｐｅ５終端チップを利用して安価に実現することを可能とした基地局制御装置及びセル処理方法を提供するものである。
【０００８】
【課題を解決するための手段】
本発明は、移動体通信システムを構成する基地局からセルを受信するインタフェース部と、ＡＴＭセル（Ａｓｙｎｃｈｒｏｎｏｕｓ  Ｔｒａｎｓｆｅｒ  Ｍｏｄｅ）のスイッチングを行うＡＴＭスイッチとを備えた基地局制御装置において、前記インタフェース部と前記ＡＴＭスイッチとの間に各々設けられ、前記インタフェース部で受信したセルがＡＴＭセルの場合、前記ＡＴＭセルが、ＡＡＬ（ＡＴＭ  Ａｄａｐｔａｔｉｏｎ  Ｌａｙｅｒ）Ｔｙｐｅ２ＳＳＳＡＲセルか、ＡＡＬＴｙｐｅ２ＳＳＴＥＤセルか、それ以外のセルかを識別する識別手段と、該識別手段で前記ＡＴＭセルが前記ＡＡＬＴｙｐｅ２ＳＳＳＡＲセル又は前記ＡＡＬＴｙｐｅ２ＳＳＴＥＤセルと識別された場合、前記ＡＡＬＴｙｐｅ２ＳＳＳＡＲセル又は前記ＡＡＬＴｙｐｅ２ＳＳＴＥＤセルをＡＡＬＴｙｐｅ５セルに変換する変換手段とを具備することを特徴とする。
【０００９】
また、本発明の基地局制御装置は、図１及び図２を参照しつつ説明すれば、移動体通信システムを構成する基地局（２）からセルを受信するインタフェース部（１０）と、ＡＴＭ（Ａｓｙｎｃｈｒｏｎｏｕｓ  Ｔｒａｎｓｆｅｒ  Ｍｏｄｅ）セルのスイッチングを行うＡＴＭスイッチ（１２）とを備えた基地局制御装置（１）において、前記インタフェース部と前記ＡＴＭスイッチとの間に各々設けられ、前記インタフェース部で受信したセルがＡＴＭセルの場合、前記ＡＴＭセルが、ＡＡＬ（ＡＴＭ  Ａｄａｐｔａｔｉｏｎ  Ｌａｙｅｒ）Ｔｙｐｅ２ＳＳＳＡＲセルか、ＡＡＬＴｙｐｅ２ＳＳＴＥＤセルか、それ以外のセルかを識別する識別手段（１１１）と、該識別手段で前記ＡＴＭセルが前記ＡＡＬＴｙｐｅ２ＳＳＳＡＲセル又は前記ＡＡＬＴｙｐｅ２ＳＳＴＥＤセルと識別された場合、前記ＡＡＬＴｙｐｅ２ＳＳＳＡＲセル又は前記ＡＡＬＴｙｐｅ２ＳＳＴＥＤセルをＡＡＬＴｙｐｅ５セルに変換する変換手段（１１２）とを具備している。
【００１０】
［作用］
本発明の基地局制御装置は、ＡＴＭＳＷ前段にてＡＡＬＴｙｐｅ２ＳＳＳＡＲ組立て、ＡＡＬＴｙｐｅ２ＳＳＴＥＤ組立てを行う。そのため、セル抜け、データ化け等があって、ＳＳＳＡＲ／ＳＳＴＥＤの組立てができないＡＡＬＴｙｐｅ２セルがＡＴＭＳＷへ流入することを防止することができる。また、ＡＴＭＳＷ前段にてＡＡＬＴｙｐｅ２セルをＡＡＬＴｙｐｅ５セルに変換する。そのため、ＡＴＭＳＷ後段のサービストランクの実現に、市販の安価なＡＡＬＴｙｐｅ５終端チップを利用することができ、サービストランクの開発にあたり、既に確立している技術（ＡＡＬＴｙｐｅ５）を利用することができる。
【００１１】
【発明の実施の形態】
［第１実施形態］
次に、本発明の第１実施形態について図面を参照して詳細に説明する。
【００１２】
（１）構成の説明
本発明の第１実施形態の移動体通信システムを構成する基地局制御装置１は、図１に示す如く、ノードインタフェース部１０、ＡＡＬＴｙｐｅ２／Ｔｙｐｅ５変換装置１１、ＡＴＭＳＷ１２、複数のサービストランク１３、１３、…を具備している。
【００１３】
上記要部の構成を説明すると、基地局制御装置１は、ノードインタフェース部１０を介して複数の基地局２、２、…と接続されている。ＡＡＬＴｙｐｅ２／Ｔｙｐｅ５変換装置１１は、基地局制御装置１内のノードインタフェース部１０とＡＴＭＳＷ１２との間に位置する状態で設けられている。
【００１４】
また、上記図１のＡＡＬＴｙｐｅ２／Ｔｙｐｅ５変換装置１１は、図２に示す如く、ＡＴＭセル受信部１１０、ＡＡＬＴｙｐｅ識別部１１１、ＡＡＬＴｙｐｅ２→Ｔｙｐｅ５変換部１１２、ＡＴＭヘッダ変換部１１３、ＡＴＭヘッダ生成部１１４、ＡＴＭセル送信部１１５、ＡＴＭセル受信部１１６、ＡＴＭヘッダ変換部１１７、ＡＡＬＴｙｐｅ識別部１１８、ＡＡＬＴｙｐｅ５→Ｔｙｐｅ２変換部１１９、ＡＴＭヘッダ生成部１１ａ、ＡＴＭセル送信部１１ｂ、制御部１１ｃを具備している。
【００１５】
上記構成を詳述すると、ＡＴＭセル受信部１１０は、ノードインタフェース部１０からのＡＴＭセルを受信する。ＡＡＬＴｙｐｅ識別部１１１は、ＡＴＭセル受信部１１０に接続され、該受信部１１０が受信したＡＴＭセルヘッダのＶＰＩ／ＶＣＩ値より、受信したＡＴＭセルが、ＡＡＬＴｙｐｅ２ＳＳＳＡＲのセルか、ＡＡＬＴｙｐｅ２ＳＳＴＥＤのセルか、ＡＡＬＴｙｐｅ２以外のセルかを識別する。
【００１６】
ＡＡＬＴｙｐｅ２→ＡＡＬＴｙｐｅ５変換部１１２は、ＡＡＬＴｙｐｅ識別部１１１に接続され、ＡＡＬＴｙｐｅ２ＳＳＳＡＲセルと、ＡＡＬＴｙｐｅ２ＳＳＴＥＤセルを、ＡＡＬＴｙｐｅ５のセルに変換する。
【００１７】
ＡＴＭヘッダ変換部１１３は、ＡＡＬＴｙｐｅ識別部１１１、及びＡＡＬＴｙｐｅ２→ＡＡＬＴｙｐｅ５変換部１１２に接続され、必要によりＡＴＭヘッダのＶＰＩ／ＶＣＩ値を変換する。ＡＴＭヘッダ生成部１１４は、ＡＴＭヘッダ変換部１１３に接続され、ＡＴＭヘッダのＨＥＣ値を計算する。ＡＴＭセル送信部１１５は、ＡＴＭヘッダ生成部１１４に接続され、ＡＴＭヘッダ生成部１１４でＨＥＣ計算したＡＴＭセルをＡＴＭＳＷ１２に送信する。
【００１８】
ＡＴＭセル受信部１１６は、ＡＴＭＳＷ１２からのＡＴＭセルを受信する。ＡＴＭヘッダ変換部１１７は、ＡＴＭセル受信部１１６に接続され、必要によりＡＴＭセルヘッダのＶＰＩ／ＶＣＩ値を変換する。ＡＡＬＴｙｐｅ識別部１１８は、ＡＴＭヘッダ変換部１１７に接続され、ＡＴＭヘッダ変換部からのＡＴＭセルが、ＡＡＬＴｙｐｅ２ＳＳＳＡＲのセルに変換するセルか、ＡＡＬＴｙｐｅ２ＳＳＴＥＤのセルに変換するセルか、それ以外のセルかを識別する。ＡＡＬＴｙｐｅ５→ＡＡＬＴｙｐｅ２変換部１１９は、ＡＡＬＴｙｐｅ識別部１１８に接続され、ＡＡＬＴｙｐｅ５のセルを、ＡＡＬＴｙｐｅ２ＳＳＳＡＲセルか、ＡＡＬＴｙｐｅ２ＳＳＴＥＤセルに変換する。
【００１９】
ＡＴＭヘッダ生成部１１ａは、ＡＡＬＴｙｐｅ識別部１１８、及びＡＡＬＴｙｐｅ５→ＡＡＬＴｙｐｅ２変換部１１９に接続され、ＡＡＬＴｙｐｅ識別部１１８、及びＡＡＬＴｙｐｅ５→ＡＡＬＴｙｐｅ２変換部１１９からのＡＴＭセルヘッダのＨＥＣ（Ｈｅａｄｅｒ  Ｅｒｒｏｒ  Ｃｏｎｔｒｏｌ）値を計算する。ＡＴＭセル送信部１１ｂは、ＡＴＭヘッダ生成部１１ａに接続され、ＡＴＭヘッダ生成部１１ａでＨＥＣ計算したＡＴＭセルをノードインタフェース部１０に送信する。制御部１１ｃは、各種制御を行う。
【００２０】
基地局２から受信したＡＡＬＴｙｐｅ２セルは、基地局制御装置１のノードインタフェース部１０を介して、ＡＡＬＴｙｐｅ２／Ｔｙｐｅ５変換装置１１で受信される。ＡＡＬＴｙｐｅ２／Ｔｙｐｅ５変換装置１１にて受信したセルが、ＡＡＬＴｙｐｅ２ＳＳＴＥＤのセルか、ＡＡＬＴｙｐｅ２ＳＳＳＡＲのセルかを識別し、各セルＴｙｐｅに合わせてＡＡＬＴｙｐｅ５セルに変換される。変換されたＡＡＬＴｙｐｅ５のセルは、ＡＴＭＳＷ１２にてサービストランク１３にスイッチングされ、サービストランク１３で各種ＡＴＭ処理が行われる。
【００２１】
また、上記図２のＡＡＬＴｙｐｅ２→ＡＡＬＴｙｐｅ５変換部１１２は、図３に示す如く、ＡＡＬＴｙｐｅ２セルバッファ１１２０、ＶＰＩ／ＶＣＩ／ＣＩＤ→ＶＰＩ／ＶＣＩ変換部１１２１、ＳＳＴＥＤトレイラ抽出部１１２２、ＣＲＣチェック部１１２３、ＳＳＴＥＤ用ＡＡＬＴｙｐｅ５トレイラ生成部１１２４、ＳＳＳＡＲ用ＡＡＬＴｙｐｅ５トレイラ生成部１１２５、ＡＡＬＴｙｐｅ５トレイラ選択部１１２６、ＡＡＬＴｙｐｅ５セル組立て部１１２７を具備している。
【００２２】
上記構成を詳述すると、ＡＡＬＴｙｐｅ２セルバッファ１１２０は、ＡＡＬＴｙｐｅ２セルをバッファリングする。ＶＰＩ／ＶＣＩ／ＣＩＤ→ＶＰＩ／ＶＣＩ変換部１１２１は、ＡＡＬＴｙｐｅ２セルバッファ１１２０に接続され、ＡＡＬＴｙｐｅ２セルのＡＴＭヘッダのＶＰＩ／ＶＣＩ値と、ＡＡＬＴｙｐｅ２内ＣＰＳパケットヘッダのＣＩＤ値から、ＡＡＬＴｙｐｅ５セルのＡＴＭヘッダＶＰＩ／ＶＣＩ値に変換する。
【００２３】
ＳＳＴＥＤトレイラ抽出部１１２２は、ＡＡＬＴｙｐｅ２セルバッファ１１２０に接続され、ＡＡＬＴｙｐｅ識別部１１１の識別結果がＡＡＬＴｙｐｅ２ＳＳＴＥＤの時に、ＡＡＬＴｙｐｅ２セルバッファ１１２０にバッファリングされている、ＡＡＬＴｙｐｅ２セルのＳＳＴＥＤトレイラ部を抽出する。ＣＲＣチェック部１１２３は、ＳＳＴＥＤトレイラ抽出部１１２２に接続され、該抽出部１１２２が抽出したトレイラのＣＲＣフィールドの値が正しいか否かを計算し、ＣＲＣフィールドの値が正しくなかった時に、ＡＡＬＴｙｐｅ２セルバッファに該当セルを廃棄する指示を行う。
【００２４】
ＳＳＴＥＤ用ＡＡＬＴｙｐｅ５トレイラ生成部１１２４は、ＣＲＣチェック部１１２３に接続され、該ＣＲＣチェック部１１２３で計算した結果、ＣＲＣが正しかったセルのＡＡＬＴｙｐｅ２ＳＳＴＥＤトレイラから、ＡＡＬＴｙｐｅ５トレイラを生成する。ＳＳＳＡＲ用ＡＡＬＴｙｐｅ５トレイラ生成部１１２５は、ＡＡＬＴｙｐｅ２ＳＳＳＡＲのセルに対して、ＡＡＬＴｙｐｅ５トレイラを生成する。ＡＡＬＴｙｐｅ５トレイラ選択部１１２６は、ＡＡＬＴｙｐｅ識別部１１１からの識別結果をもとに、ＳＳＴＥＤ用ＡＡＬＴｙｐｅ５トレイラ生成部１１２４で生成したトレイラか、ＳＳＳＡＲ用ＡＡＬＴｙｐｅ５トレイラ生成部１１２５で生成したトレイラかを選択する。
【００２５】
ＡＡＬＴｙｐｅ５セル組立て部１１２７は、ＶＰＩ／ＶＣＩ／ＣＩＤ→ＶＰＩ／ＶＣＩ変換部１１２１と、ＡＡＬＴｙｐｅ２セルバッファ１１２０とＡＡＬＴｙｐｅ５トレイラ選択部１１２６に接続され、ＶＰＩ／ＶＣＩ／ＣＩＤ→ＶＰＩ／ＶＣＩ変換部１１２１からのＶＰＩ／ＶＣＩ値と、ＡＡＬＴｙｐｅ２セルバッファ１１２０からのペイロードと、ＡＡＬＴｙｐｅ５トレイラ選択部１１２６からのトレイラより、ＡＡＬＴｙｐｅ５のセルを組み立てる。また、ＡＡＬＴｙｐｅ５セル組立て部１１２７では、ＡＴＭセルヘッダのＰＴフィールド、ＣＬＰフィールドの生成も行う。
【００２６】
また、上記図２のＡＡＬＴｙｐｅ５→ＡＡＬＴｙｐｅ２変換部１１９は、図４に示す如く、ＡＡＬＴｙｐｅ５セルバッファ１１９０、ＶＰＩ／ＶＣＩ→ＶＰＩ／ＶＣＩ／ＣＩＤ変換部１１９１、ＡＡＬＴｙｐｅ５トレイラ抽出部１１９２、ＣＲＣチェック部１１９３、ＡＡＬＴｙｐｅ２ＳＳＴＥＤトレイラ生成部１１９４、ＡＡＬＴｙｐｅ２ＳＳＴＥＤトレイラ送出部１１９５、ＡＡＬＴｙｐｅ２セル組立て部１１９６を具備している。
【００２７】
上記構成を詳述すると、ＡＡＬＴｙｐｅ５セルバッファ１１９０は、ＡＡＬＴｙｐｅ５セルをバッファリングする。ＶＰＩ／ＶＣＩ→ＶＰＩ／ＶＣＩ／ＣＩＤ変換部１１９１は、ＡＡＬＴｙｐｅ５セルバッファ１１９０に接続され、ＡＡＬＴｙｐｅ５セルのＶＰＩ／ＶＣＩ値を、ＡＡＬＴｙｐｅ２セルのＡＴＭヘッダＶＰＩ／ＶＣＩ値と、ＡＡＬＴｙｐｅ２内のＣＰＳパケットヘッダＣＩＤ値に変換する。
【００２８】
ＡＡＬＴｙｐｅ５トレイラ抽出部１１９２は、ＡＡＬＴｙｐｅ５セルバッファ１１９０に接続され、ＡＡＬＴｙｐｅ識別部１１８の識別結果がＡＡＬＴｙｐｅ２ＳＳＴＥＤの時に、上記セルバッファにバッファリングされているＡＡＬＴｙｐｅ５セルのトレイラ部を抽出する。ＣＲＣチェック部１１９３は、ＡＡＬＴｙｐｅ５トレイラ抽出部１１９２に接続され、該抽出部１１９２が抽出したトレイラのＣＲＣ（Ｃｙｃｌｉｃ  Ｒｅｄｕｎｄａｎｃｙ  Ｃｈｅｃｋ  Ｃｈａｒａｃｔｅｒ）フィールドの値が正しいか否かを計算し、ＣＲＣフィールドの値が正しくなかった時に、ＡＡＬＴｙｐｅ５セルバッファ１１９０に該当セルを廃棄する指示を出す。
【００２９】
ＡＡＬＴｙｐｅ２ＳＳＴＥＤトレイラ生成部１１９４は、ＣＲＣチェック部１１９３に接続され、該ＣＲＣチェック部１１９３で計算した結果、ＣＲＣが正しかったセルのＡＡＬＴｙｐｅ５トレイラからＡＡＬＴｙｐｅ２ＳＳＴＥＤトレイラを生成する。ＡＡＬＴｙｐｅ２ＳＳＴＥＤトレイラ送出部１１９５は、ＡＡＬＴｙｐｅ識別部１１８の識別結果がＡＡＬＴｙｐｅ２ＳＳＴＥＤの時に、ＡＡＬＴｙｐｅ２ＳＳＴＥＤトレイラ生成部１１９４で生成したトレイラを出力する。
【００３０】
ＡＡＬＴｙｐｅ２セル組立て部１１９６は、ＶＰＩ／ＶＣＩ→ＶＰＩ／ＶＣＩ／ＣＩＤ変換部１１９１と、ＡＡＬＴｙｐｅ５セルバッファ１１９０と、ＡＡＬＴｙｐｅ２ＳＳＴＥＤトレイラ送出部１１９５に接続され、ＶＰＩ／ＶＣＩ→ＶＰＩ／ＶＣＩ／ＣＩＤ変換部１１９１からのＶＰＩ／ＶＣＩ／ＣＩＤ値と、ＡＡＬＴｙｐｅ５セルバッファ１１９０からのペイロードと、ＡＡＬＴｙｐｅ２ＳＳＴＥＤトレイラ送出部１１９５からのトレイラより、ＡＡＬＴｙｐｅ２ＳＳＴＥＤ、またはＡＡＬＴｙｐｅ２ＳＳＳＡＲのセルを組み立てる。
【００３１】
また、ＡＡＬＴｙｐｅ２セル組立て部１１９６は、送出すべきセルがＡＡＬＴｙｐｅ２ＳＳＳＡＲセルである場合は、ＶＰＩ／ＶＣＩ→ＶＰＩ／ＶＣＩ／ＣＩＤ変換部１１９１からのＶＰＩ／ＶＣＩ／ＣＩＤ値と、ＡＡＬＴｙｐｅ５セルバッファ１１９０からのペイロードより、ＡＡＬＴｙｐｅ２ＳＳＳＡＲのセルを組み立てる。また、ＡＡＬＴｙｐｅ２セル組立て部１１９６では、ＡＴＭセルヘッダのＰＴフィールド、ＣＬＰフィールドの生成も行う。
【００３２】
（２）動作の説明
次に、本発明の第１実施形態の動作を図１〜図５を参照して詳細に説明する。先ず、図１〜図３、図５を参照して、基地局制御装置１が基地局２からＡＡＬＴｙｐｅ２ＳＳＴＥＤセルを受信した場合について説明する。
【００３３】
基地局２からのＡＡＬＴｙｐｅ２ＳＳＴＥＤセルは、基地局制御装置１のノードインタフェース部１０を介した後、ＡＡＬＴｙｐｅ２／Ｔｙｐｅ５変換装置１１のＡＴＭセル受信部１１０にて、ＡＴＭセルとして受信する。ＡＡＬＴｙｐｅ識別部１１１には、呼確立時等において、ＶＰＩ／ＶＣＩ値と、セルタイプ（ＡＡＬＴｙｐｅ２ＳＳＴＥＤか、ＡＡＬＴｙｐｅ２ＳＳＳＡＲか、それ以外か）が登録されており、該登録値と、受信したＡＴＭセルヘッダのＶＰＩ／ＶＣＩ値とを比較して、受信したセルがＡＡＬＴｙｐｅ２ＳＳＴＥＤセルであることを識別する。
【００３４】
その結果、該ＡＴＭセルは、ＡＡＬＴｙｐｅ２→Ｔｙｐｅ５変換部１１２内のＡＡＬＴｙｐｅ２セルバッファ１１２０にバッファリングされる。ＡＡＬＴｙｐｅ２セルバッファ１１２０には、同一ＶＰＩ／ＶＣＩ／ＣＩＤ（Ｃｏｍｍｕｎｉｃａｔｉｏｎ  Ｉｄｅｎｔｉｆｉｅｒ：通信識別子）のＡＡＬＴｙｐｅ２ＣＰＳパケットが、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ：ＩＴＵ電気通信標準化部門）  Ｉ．３６３．２及びＩ．３６６．１のＳＳＳＡＲ組立てフローに従って、ＡＡＬＴｙｐｅ２ＳＳＳＡＲまで組み立てられる。
【００３５】
ＶＰＩ／ＶＣＩ／ＣＩＤ→ＶＰＩ／ＶＣＩ変換部１１２１にて、ＡＡＬＴｙｐｅ２セルのＡＴＭヘッダのＶＰＩ／ＶＣＩ値と、ＡＡＬＴｙｐｅ２内ＣＰＳパケットヘッダのＣＩＤ値から、ＡＡＬＴｙｐｅ５セルのＡＴＭヘッダＶＰＩ／ＶＣＩ値を検索する。
【００３６】
ＡＡＬＴｙｐｅ識別部１１１より、ＡＡＬＴｙｐｅ２セルバッファ１１２０に組み立てられているセルは、ＳＳＴＥＤのセルであることが分かっているため、ＳＳＴＥＤトレイラ抽出部１１２２は、ＡＡＬ２セルバッファ１１２０にバッファリングされているＡＡＬＴｙｐｅ２セルから、ＳＳＴＥＤトレイラ部を抽出する。
【００３７】
ＣＲＣチェック部１１２３にて、ＳＳＴＥＤトレイラ抽出部１１２２の抽出したＳＳＴＥＤトレイラのＣＲＣフィールドの値と、ＡＡＬＴｙｐｅ２セルバッファにバッファリングされている該当セルのペイロードのＣＲＣ演算結果が一致するかを比較し、一致しない場合は、ＡＡＬＴｙｐｅ２セルバッファ１１２０の該当セルを廃棄するように指示する。例えば、ＡＡＬＴｙｐｅ２セルバッファがメモリで構成されている場合には、メモリの開放指示を行う。ＣＲＣチェック結果が正しい場合には、ＳＳＴＥＤ用ＡＡＬＴｙｐｅ５トレイラ生成部１１２４にてＡＡＬ５トレイラが生成される。
【００３８】
ここで、ＡＡＬ５トレイラの生成方法を図５を参照して説明する。
【００３９】
ＡＡＬＴｙｐｅ２ＳＳＴＥＤトレイラのＣＲＣ−３２と、ＡＡＬ５トレイラのＣＲＣ−３２の演算式は同じであるため、ＡＡＬＴｙｐｅ２ＳＳＴＥＤトレイラのＣＲＣ−３２のフィールドを、ＡＡＬＴｙｐｅ５トレイラのＣＲＣ−３２フィールドに代入する。同様に、ＡＡＬＴｙｐｅ２ＳＳＴＥＤトレイラのＬｅｎｇｔｈフィールドを、ＡＡＬＴｙｐｅ５トレイラのＬｅｎｇｔｈフィールドに、「Ｒｅｓｅｒｖｅｄ＋ＣＩ＋ＬＰ」フィールドを、ＣＰＩフィールドに、ＳＳＴＥＤ−ＵＵフィールドを、ＣＰＣＳ−ＵＵフィールドに代入する。
【００４０】
また、ＡＡＬＴｙｐｅ２ＳＳＴＥＤペイロードと、ＡＡＬＴｙｐｅ５トレイラを合わせたバイト数が４８オクテットの倍数となるように、ＰＡＤフィールドが埋められる。
【００４１】
ＡＡＬＴｙｐｅ５トレイラ選択部１１２６では、ＡＡＬＴｙｐｅ識別部１１１がＡＡＬ２ＴｙｐｅＳＳＴＥＤを示しているので、ＳＳＴＥＤ用ＡＡＬＴｙｐｅ５トレイラ生成部１１２４からのデータを選択し、ＡＡＬＴｙｐｅ５セル組立て部１１２７に出力する。
【００４２】
ＡＡＬＴｙｐｅ５セル組立て部１１２７では、ＶＰＩ／ＶＣＩ／ＣＩＤ→ＶＰＩ／ＶＣＩ変換部１１２１からのＶＰＩ／ＶＣＩ値と、ＡＡＬＴｙｐｅ２セルバッファ１１２０からのペイロードと、ＡＡＬＴｙｐｅ５トレイラ選択部１１２６からのトレイラより、ＡＡＬＴｙｐｅ５のセルを組み立てる。
【００４３】
また、基地局２からのセルがＡＡＬＴｙｐｅ２ＳＳＳＡＲである場合は、ＡＡＬＴｙｐｅ識別部１１１で、ＡＴＭセルヘッダのＶＰＩ／ＶＣＩ値より、ＡＡＬＴｙｐｅ２ＳＳＳＡＲセルであると識別される。
【００４４】
この時、ＳＳＴＥＤトレイラ抽出部１１２２は動作せず、ＳＳＳＡＲ用ＡＡＬＴｙｐｅ５トレイラ生成部１１２５で、ＡＡＬＴｙｐｅ５のトレイラが生成される。
【００４５】
ＡＡＬＴｙｐｅ５トレイラのＬｅｎｇｔｈフィールドには、ＡＡＬＴｙｐｅ２ＳＳＳＡＲ組立て時にカウントしていたＡＡＬＴｙｐｅ２ＳＳＳＡＲのバイト長を代入し、ＣＰＣＳ−ＵＵフィールド及びＣＰＩフィールドには、呼確立時等にレジスタ等に設定した値を代入し、ＣＲＣ−３２フィールドには、ＡＡＬＴｙｐｅ２セルバッファ１１２０にバッファリングしているセルのＣＲＣ演算結果を代入し、ＡＡＬ２ＳＳＳＡＲのバイト長とＡＡＬＴｙｐｅ５トレイラを合わせたバイト数が、４８オクテットの倍数となるように、ＰＡＤフィールドを埋める。
【００４６】
また、ＡＡＬＴｙｐｅ５セル組立て部１１２７では、ＡＴＭセルヘッダのＰＴフィールド、ＣＬＰフィールドの生成も行う。
【００４７】
上記ＡＡＬＴｙｐｅ２→ＡＡＬＴｙｐｅ５変換部１１２で組み立てられたＡＡＬＴｙｐｅ５のセルは、ＡＴＭヘッダ変換部１１３でＶＰＩ／ＶＣＩ値を変換し、ＡＴＭヘッダ生成部１１４でＡＴＭヘッダのＨＥＣ計算を行い、ＡＴＭセル送信部１１５よりＡＴＭＳＷ１２に送出される。
【００４８】
ＡＡＬＴｙｐｅ２ＳＳＴＥＤセルでもＡＡＬＴｙｐｅ２ＳＳＳＡＲセルでもないセルは、ＡＡＬＴｙｐｅ識別部１１１からＡＴＭヘッダ変換部１１３に出力され、ＶＰＩ／ＶＣＩ値を変換し、ＡＴＭヘッダ生成部１１４でＡＴＭヘッダのＨＥＣ計算を行い、ＡＴＭセル送信部１１５よりＡＴＭＳＷ１２に送出される。
【００４９】
次に、図１〜図２、図４〜図５を参照して、ＡＡＬＴｙｐｅ２ＳＳＴＥＤセルに変換すべきＡＴＭＴｙｐｅ５セルをＡＴＭＳＷ１２から受信した場合について説明する。
【００５０】
ＡＴＭＳＷ１２からのＡＡＬＴｙｐｅ５セルは、基地局制御装置１のＡＡＬＴｙｐｅ２／Ｔｙｐｅ５変換装置１１のＡＴＭセル受信部１１６にて受信され、ＡＴＭヘッダ変換部１１７でＶＰＩ／ＶＣＩ値が変換される。ＡＡＬＴｙｐｅ識別部１１８には、呼確立時等において、ＶＰＩ／ＶＣＩ値とセルタイプ（ＡＡＬＴｙｐｅ２ＳＳＴＥＤか、ＡＡＬＴｙｐｅ２ＳＳＳＡＲか、それ以外か）が登録されており、該登録値と、ＡＴＭヘッダ変換部１１７で変換したＡＴＭセルヘッダのＶＰＩ／ＶＣＩ値とを比較して、受信したセルがＡＡＬＴｙｐｅ２ＳＳＴＥＤセルに変換されるべきセルであることを識別する。
【００５１】
その結果、該ＡＴＭセルは、ＡＡＬＴｙｐｅ５→ＡＡＬＴｙｐｅ２変換部１１９内のＡＡＬＴｙｐｅ５セルバッファ１１９０にバッファリングされる。ＡＡＬＴｙｐｅ５セルバッファ１１９０では、ＩＴＵ−Ｔ  Ｉ．３６３．５に従ってＡＡＬＴｙｐｅ５セルが組み立てられる。
【００５２】
ＶＰＩ／ＶＣＩ→ＶＰＩ／ＶＣＩ／ＣＩＤ変換部１１９１にて、ＡＡＬＴｙｐｅ５セルのＡＴＭヘッダＶＰＩ／ＶＣＩ値から、ＡＡＬＴｙｐｅ２セルのＡＴＭヘッダのＶＰＩ／ＶＣＩ値と、ＡＡＬＴｙｐｅ２内ＣＰＳパケットヘッダのＣＩＤ値を検索する。
【００５３】
ＡＡＬＴｙｐｅ識別部１１８より、ＡＡＬＴｙｐｅ５セルバッファ１１９０に組み立てられているセルは、ＡＡＬＴｙｐｅ２ＳＳＴＥＤのセルに変換すべきセルであることが分かっているため、ＡＡＬＴｙｐｅ５トレイラ抽出部１１９２は、ＡＡＬＴｙｐｅ５セルバッファ１１９０にバッファリングされているＡＡＬＴｙｐｅ５セルから、ＡＡＬＴｙｐｅ５トレイラ部を抽出する。
【００５４】
ＣＲＣチェック部１１９３にて、ＡＡＬＴｙｐｅ５トレイラ抽出部１１９２の抽出したトレイラのＣＲＣフィールドの値と、ＡＡＬＴｙｐｅ５セルバッファにバッファリングされている該当セルのペイロードのＣＲＣ演算結果が一致するかを比較し、一致しない場合は、ＡＡＬＴｙｐｅ５セルバッファ１１９０の該当セルを廃棄するように指示する。例えば、ＡＡＬＴｙｐｅ５セルバッファがメモリで構成されている場合にはメモリの開放指示を行う。ＣＲＣチェック結果が正しい場合には、ＡＡＬＴｙｐｅ２ＳＳＴＥＤトレイラ生成部１１９４にてＡＡＬＴｙｐｅ２ＳＳＴＥＤトレイラが生成される。
【００５５】
ここで、ＡＡＬＴｙｐｅ２ＳＳＴＥＤトレイラの生成方法を図５を参照して説明する。
【００５６】
ＡＡＬＴｙｐｅ５トレイラのＣＲＣ−３２と、ＡＡＬＴｙｐｅ２ＳＳＴＥＤトレイラのＣＲＣ−３２の演算式は同じであるため、ＡＡＬＴｙｐｅ５トレイラのＣＲＣ−３２フィールドを、ＡＡＬＴｙｐｅ２ＳＳＴＥＤトレイラのＣＲＣ−３２のフィールドに代入する。同様に、ＡＡＬＴｙｐｅ５トレイラのＬｅｎｇｔｈフィールドを、ＡＡＬＴｙｐｅ２ＳＳＴＥＤトレイラのＬｅｎｇｔｈフィールドに、ＣＰＩフィールドを、「Ｒｅｓｅｒｖｅｄ＋ＣＩ＋ＬＰ」フィールドに、ＣＰＣＳ−ＵＵフィールドを、ＳＳＴＥＤ−ＵＵフィールドに代入する。この時、ＡＡＬＴｙｐｅ５トレイラのＰＡＤフィールドは、使用されず廃棄される。
【００５７】
ＡＡＬＴｙｐｅ２ＳＳＴＥＤトレイラ送出部１１９５では、ＡＡＬＴｙｐｅ識別部１１８がＡＡＬＴｙｐｅ２ＳＳＴＥＤを示しているので、ＡＡＬＴｙｐｅ２ＳＳＴＥＤトレイラ生成部１１９４で生成したトレイラを、ＡＡＬＴｙｐｅ２セル組立て部１１９６に送出する。
【００５８】
ＡＡＬＴｙｐｅ２セル組立て部１１９６では、ＶＰＩ／ＶＣＩ→ＶＰＩ／ＶＣＩ／ＣＩＤ変換部１１９１からのＶＰＩ／ＶＣＩ／ＣＩＤ値と、ＡＡＬＴｙｐｅ５セルバッファ１１９０からのペイロードと、ＡＡＬＴｙｐｅ２ＳＳＴＥＤトレイラ送出部１１９５からのトレイラより、ＡＡＬＴｙｐｅ２ＳＳＴＥＤのセルを組み立てる。
【００５９】
また、ＡＴＭＳＷ１２からのセルが、ＡＡＬＴｙｐｅ２ＳＳＳＡＲセルに変換すべきセルである場合は、ＡＡＬＴｙｐｅ識別部１１８で、ＡＴＭセルヘッダのＶＰＩ／ＶＣＩ値より、ＡＡＬＴｙｐｅ２ＳＳＳＡＲセルに変換すべきセルであると識別される。
【００６０】
この時、ＡＡＬＴｙｐｅ５トレイラ抽出部１１９２も、ＡＡＬＴｙｐｅ２ＳＳＴＥＤトレイラ送出部１１９５も動作せず、ＶＰＩ／ＶＣＩ→ＶＰＩ／ＶＣＩ／ＣＩＤ変換部１１９１からのＶＰＩ／ＶＣＩ／ＣＩＤ値と、ＡＡＬＴｙｐｅ５セルバッファ１１９０からのペイロードより、ＡＡＬＴｙｐｅ２ＳＳＳＡＲのセルを組み立てる。
【００６１】
また、ＡＡＬＴｙｐｅ２セル組立て部１１９６では、ＡＴＭセルヘッダのＰＴフィールド、ＣＬＰフィールドの生成も行う。
【００６２】
［第２実施形態］
次に、本発明の第２実施形態について図面を参照して詳細に説明する。
【００６３】
（１）構成の説明
本発明の第２実施形態のＡＡＬＴｙｐｅ２／Ｔｙｐｅ５変換装置１１は、図６に示す如く、ＡＴＭセル受信部１１０、ＡＡＬＴｙｐｅ識別部１１１、ＡＡＬＴｙｐｅ２→Ｔｙｐｅ５変換部１１２、ＡＴＭヘッダ変換部１１３、ＡＴＭヘッダ生成部１１４、ＡＴＭセル送信部１１５、ＡＴＭセル受信部１１６、ＡＴＭヘッダ変換部１１７、ＡＡＬＴｙｐｅ識別部１１８、ＡＡＬＴｙｐｅ５→Ｔｙｐｅ２変換部１１９、ＡＴＭヘッダ生成部１１ａ、ＡＴＭセル送信部１１ｂ、制御部１１ｃ、ＯＡＭ（Ｏｐｅｒａｔｉｏｎ  Ａｄｍｉｎｉｓｔｒａｔｉｏｎ  Ｍｏｄｅ）セル識別部１１ｄ、ＯＡＭセル処理部１１ｅを具備している。
【００６４】
上記要部の構成を詳述すると、ＡＴＭセル受信部１１０とＡＡＬＴｙｐｅ識別部１１１との間に、ＯＡＭセル識別部１１ｄが接続され、ＯＡＭセル識別部１１ｄとＡＴＭヘッダ生成部１１ａとの間に、ＯＡＭセル処理部１１ｅが接続されている。ＯＡＭセル処理部１１ｅは、ＡＴＭヘッダ変換部１１３にも接続されている。
【００６５】
（２）動作の説明
次に、本発明の第２実施形態の動作について図６を参照して詳細に説明する。
【００６６】
ＯＡＭセル識別部１１ｄは、受信したセルがＯＡＭセル（故障通知時等のＯＡＭ機能を実現するためのセル）であることを識別すると、ＯＡＭセル処理部１１ｅに送出する。ＯＡＭセル処理部１１ｅにてＯＡＭセル処理を行い、処理に応じたＡＴＭセルを生成し、ＡＴＭヘッダ変換部１１３またはＡＴＭヘッダ生成部１１ａに送出する。これにより、本ＡＡＬＴｙｐｅ２／Ｔｙｐｅ５変換装置１１はＯＡＭセルにも対応できる。
【００６７】
また、ＡＴＭセル受信部１１０とＡＴＭセル送信部１１ｂが回線インタフェースを具備すれば、ＡＡＬＴｙｐｅ２／Ｔｙｐｅ５変換装置１１は、ＡＡＬＴｙｐｅ２／Ｔｙｐｅ５変換機能を有する回線インタフェース装置として直接他ノードと接続することも可能である。
【００６８】
【発明の効果】
以上説明したように本発明によれば、基地局制御装置のインタフェース部とＡＴＭスイッチとの間に、ＡＴＭセルがＡＡＬＴｙｐｅ２ＳＳＳＡＲセルかＡＡＬＴｙｐｅ２ＳＳＴＥＤセルかそれ以外のセルかを識別する識別手段と、ＡＡＬＴｙｐｅ２ＳＳＳＡＲセル又はＡＡＬＴｙｐｅ２ＳＳＴＥＤセルをＡＡＬＴｙｐｅ５セルに変換する変換手段とを各々具備しているため、下記の効果を奏する。
【００６９】
第一の効果としては、ＡＴＭＳＷ前段にてＡＡＬＴｙｐｅ２ＳＳＳＡＲ組立て、ＡＡＬＴｙｐｅ２ＳＳＴＥＤ組立てを行うので、セル抜け、データ化け等があって、ＳＳＳＡＲ／ＳＳＴＥＤの組立てができないＡＡＬＴｙｐｅ２セルがＡＴＭＳＷへ流入することを防止することができる。
【００７０】
また、第二の効果としては、ＡＴＭＳＷ前段にてＡＡＬＴｙｐｅ２セルをＡＡＬＴｙｐｅ５セルに変換するので、ＡＴＭＳＷ後段のサービストランクの実現に、市販の安価なＡＡＬＴｙｐｅ５終端チップを利用することができ、サービストランクの開発にあたり、既に確立している技術（ＡＡＬＴｙｐｅ５）を利用することができる。
【図面の簡単な説明】
【図１】本発明の第１実施形態の移動体通信システムの基地局制御装置の構成を示すブロック図である。
【図２】本発明の第１実施形態のＡＡＬＴｙｐｅ２／Ｔｙｐｅ５変換装置の構成を示すブロック図である。
【図３】本発明の第１実施形態のＡＡＬＴｙｐｅ２→Ｔｙｐｅ５変換部の構成を示すブロック図である。
【図４】本発明の第１実施形態のＡＡＬＴｙｐｅ５→Ｔｙｐｅ２変換部の構成を示すブロック図である。
【図５】本発明の第１実施形態のＡＡＬＴｙｐｅ２ＳＳＴＥＤトレイラとＡＡＬＴｙｐｅ５トレイラの構成を示す概念図である。
【図６】本発明の第２実施形態のＡＡＬＴｙｐｅ２／Ｔｙｐｅ５変換装置の構成を示すブロック図である。
【符号の説明】
１  基地局制御装置
２  基地局
１０  ノードインタフェース部
１１  ＡＡＬＴｙｐｅ２／Ｔｙｐｅ５変換装置
１１ｄ  ＯＡＭセル識別部
１１ｅ  ＯＡＭセル処理部
１１１  ＡＡＬＴｙｐｅ識別部
１１２  ＡＡＬＴｙｐｅ２→ＡＡＬＴｙｐｅ５変換部
【図１】
0003582464.tif 000002
【図２】
0003582464.tif 000003
【図３】
0003582464.tif 000004
【図４】
0003582464.tif 000005
【図５】
0003582464.tif 000006
【図６】
0003582464.tif 000007